(57)【要約】【課題】より見栄えのよいシール紙を提供する。【解決手段】撮影処理部は、利用者を被写体として複数回撮影し、複数の撮影画像を取得し、印刷処理部は、複数の撮影画像が印刷される撮影画像領域と、撮影画像領域の周囲の領域であって、撮影画像以外の周囲画像が印刷される周囲画像領域とを含むシール紙の領域に、複数の撮影画像および周囲画像を配置する。印刷処理部は、予め決められた縦横比をもつ矩形状の撮影画像領域内に、縦長の撮影画像と横長の撮影画像とを隙間なく配置するように、縦長の撮影画像および／または横長の撮影画像の大きさを、縦辺および横辺の長短の関係を保ったまま変えるとともに、撮影画像それぞれにおける被写体の向きを同一にして、複数の撮影画像を配置する。本発明は、例えば、写真シール作成装置に適用することができる。【選択図】図９
2015102605.tif 000002
【特許請求の範囲】
【請求項１】
利用者を被写体として複数回撮影し、複数の撮影画像を取得する撮影手段と、
複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置手段と
を備え、
前記画像配置手段は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する
写真シール作成装置。
【請求項２】
前記画像配置手段は、縦長の前記撮影画像および／または横長の前記撮影画像の大きさを、縦横比固定で変える
請求項１に記載の写真シール作成装置。
【請求項３】
前記画像配置手段は、縦長の前記撮影画像および／または横長の前記撮影画像の大きさを、縦長の前記撮影画像の長辺の長さと、横長の前記撮影画像の短辺の長さとが同一になるように変える
請求項１または２に記載の写真シール作成装置。
【請求項４】
前記画像配置手段は、縦長の前記撮影画像および／または横長の前記撮影画像の大きさを、縦長の前記撮影画像の短辺の長さと、横長の前記撮影画像の長辺の長さとが同一になるように変える
請求項１または２に記載の写真シール作成装置。
【請求項５】
前記画像配置手段は、縦長の前記撮影画像および／または横長の前記撮影画像の大きさを、縦長の前記撮影画像の縦横比と、横長の前記撮影画像の横縦比とが同一になるように変える
請求項１乃至４のいずれかに記載の写真シール作成装置。
【請求項６】
前記画像配置手段は、予め決められた前記撮影画像領域より、複数の前記撮影画像が実際に配置される実撮影画像領域の方が小さくなる場合、前記周囲画像領域に加えて、予め決められた前記撮影画像領域から前記実撮影画像領域を除いた領域に、前記周囲画像を配置する
請求項１乃至５のいずれかに記載の写真シール作成装置。
【請求項７】
前記撮影画像領域における前記撮影画像の配置と、前記周囲画像の種類とを表すシールレイアウトの、前記利用者による選択を受け付ける受付手段をさらに備え、
前記画像配置手段は、前記利用者に選択された前記シールレイアウトで、前記シール紙の領域に複数の前記撮影画像および前記周囲画像を配置する
請求項１乃至６のいずれかに記載の写真シール作成装置。
【請求項８】
複数の前記撮影画像に対して前記利用者に編集入力を行わせることで、複数の編集済み画像を取得する編集手段をさらに備え、
前記画像配置手段は、前記撮影画像領域内に、複数の前記撮影画像または前記編集済み画像を配置する
請求項１乃至７のいずれかに記載の写真シール作成装置。
【請求項９】
前記撮影手段は、複数の前記撮影画像として、縦長の前記撮影画像と横長の前記撮影画像とを取得する
請求項１乃至８のいずれかに記載の写真シール作成装置。
【請求項１０】
前記撮影手段は、複数の前記撮影画像をトリミングすることで、縦長の前記撮影画像と横長の前記撮影画像とを取得する
請求項９に記載の写真シール作成装置。
【請求項１１】
利用者を被写体として複数回撮影し、複数の撮影画像を取得する撮影ステップと、
複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置ステップと
を含み、
前記画像配置ステップの処理は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する
写真シール作成方法。
【請求項１２】
利用者を被写体として複数回撮影し、複数の撮影画像を取得する撮影ステップと、
複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置ステップと
を含む処理をコンピュータに実行させ、
前記画像配置ステップの処理は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する
プログラム。
【発明の詳細な説明】
【技術分野】
【０００１】
本発明は、写真シール作成装置および方法、並びにプログラムに関し、特に、見栄えのよいシール紙を提供することができるようにする写真シール作成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷するという流れになる。
【０００４】
このような写真シール機の中には、撮影画像に合成されている合成用画像に応じて、シール紙において撮影画像が配置される領域以外の領域に印刷される領域外画像を決定し、そのシール紙に撮影画像と領域外画像とを配置するためのレイアウトに基づいて、撮影画像と領域外画像とをシール紙に印刷するようにしたものがある。（例えば、特許文献１参照）。
【０００５】
特許文献１においては、レイアウトとして、シール紙に画像を規則正しく配置させる通常のレイアウトと、画像を傾けたり、画像同士の一部分を重ねて配置させるスペシャルレイアウトとが用意されており、特にスペシャルレイアウトを選択することにより、シール紙のデザイン性を高めることができるようになされている。
【先行技術文献】
【特許文献】
【０００６】
【特許文献１】特開２０１２−２３７９５６号公報
【発明の概要】
【発明が解決しようとする課題】
【０００７】
しかしながら、特許文献１の写真シール機においては、複数回の撮影として、同じ画角での撮影しか行われないため、例えば、横長の撮影画像と縦長の撮影画像とが混在してシール紙に配置されることは考慮されていなかった。
【０００８】
また、特許文献１のスペシャルレイアウトで配置される画像は、それぞれ隙間が設けられて配置されているため、配置される画像の大きさを小さくしたり、配置される画像の枚数を少なくしたりする必要があった。
【０００９】
本発明は、このような状況に鑑みてなされたものであり、より見栄えのよいシール紙を提供することができるようにするものである。
【課題を解決するための手段】
【００１０】
本発明の一側面の写真シール作成装置は、利用者を被写体として複数回撮影し、複数の撮影画像を取得する撮影手段と、複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置手段とを備え、前記画像配置手段は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する。
【００１１】
前記画像配置手段には、縦長の前記撮影画像および／または横長の前記撮影画像の大きさを、縦横比固定で変えさせることができる。
【００１２】
前記画像配置手段には、縦長の前記撮影画像および／または横長の前記撮影画像の大きさを、縦長の前記撮影画像の長辺の長さと、横長の前記撮影画像の短辺の長さとが同一になるように変えさせることができる。
【００１３】
前記画像配置手段には、縦長の前記撮影画像および／または横長の前記撮影画像の大きさを、縦長の前記撮影画像の短辺の長さと、横長の前記撮影画像の長辺の長さとが同一になるように変えさせることができる。
【００１４】
前記画像配置手段には、縦長の前記撮影画像および／または横長の前記撮影画像の大きさを、縦長の前記撮影画像の縦横比と、横長の前記撮影画像の横縦比とが同一になるように変えさせることができる。
【００１５】
前記画像配置手段には、予め決められた前記撮影画像領域より、複数の前記撮影画像が実際に配置される実撮影画像領域の方が小さくなる場合、前記周囲画像領域に加えて、予め決められた前記撮影画像領域から前記実撮影画像領域を除いた領域に、前記周囲画像を配置させることができる。
【００１６】
前記撮影画像領域における前記撮影画像の配置と、前記周囲画像の種類とを表すシールレイアウトの、前記利用者による選択を受け付ける受付手段をさらに設け、前記画像配置手段には、前記利用者に選択された前記シールレイアウトで、前記シール紙の領域に複数の前記撮影画像および前記周囲画像を配置させることができる。
【００１７】
複数の前記撮影画像に対して前記利用者に編集入力を行わせることで、複数の編集済み画像を取得する編集手段をさらに設け、前記画像配置手段には、前記撮影画像領域内に、複数の前記撮影画像または前記編集済み画像を配置させることができる。
【００１８】
前記撮影手段には、複数の前記撮影画像として、縦長の前記撮影画像と横長の前記撮影画像とを取得させることができる。
【００１９】
前記撮影手段には、複数の前記撮影画像をトリミングすることで、縦長の前記撮影画像と横長の前記撮影画像とを取得させることができる。
【００２０】
本発明の一側面の写真シール作成方法は、利用者を被写体として複数回撮影し、複数の撮影画像を取得する撮影ステップと、複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置ステップとを含み、前記画像配置ステップの処理は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する。
【００２１】
本発明の一側面のプログラムは、利用者を被写体として複数回撮影し、複数の撮影画像を取得する撮影ステップと、複数の前記撮影画像が印刷される撮影画像領域と、前記撮影画像領域の周囲の領域であって、前記撮影画像以外の周囲画像が印刷される周囲画像領域とを含むシール紙の領域に、複数の前記撮影画像および前記周囲画像を配置する画像配置ステップとを含む処理をコンピュータに実行させ、前記画像配置ステップの処理は、予め決められた縦横比をもつ矩形状の前記撮影画像領域内に、縦長の前記撮影画像と横長の前記撮影画像とを隙間なく配置するように、縦長の前記撮影画像および／または横長の前記撮影画像の大きさを、縦辺および横辺の長短の関係を保ったまま変えるとともに、前記撮影画像それぞれにおける前記被写体の向きを同一にして、複数の前記撮影画像を配置する。
【００２２】
本発明の一側面においては、予め決められた縦横比をもつ矩形状の撮影画像領域内に、縦長の撮影画像と横長の撮影画像とを隙間なく配置するように、縦長の撮影画像および／または横長の撮影画像の大きさを、縦辺および横辺の長短の関係を保ったまま変えるとともに、撮影画像それぞれにおける被写体の向きを同一にして、複数の撮影画像が配置される。
【発明の効果】
【００２３】
本発明によれば、より見栄えのよいシール紙を提供することが可能となる。
【図面の簡単な説明】
【００２４】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の機能構成例を示すブロック図である。
【図１０】写真シール作成ゲーム処理の流れの例を説明するフローチャートである。
【図１１】撮影処理について説明するフローチャートである。
【図１２】人数選択画面の例を示す図である。
【図１３】横長の撮影画像と縦長の撮影画像の例を示す図である。
【図１４】編集処理について説明するフローチャートである。
【図１５】分割数選択画面の例を示す図である。
【図１６】シールレイアウトの例を示す図である。
【図１７】シールレイアウトの例を示す図である。
【図１８】シールレイアウトの例を示す図である。
【図１９】印刷処理について説明するフローチャートである。
【図２０】出力されるシール紙の例を示す図である。
【図２１】シール紙に設定されるシールレイアウトについて説明する図である。
【図２２】撮影画像の配置の例について説明する図である。
【図２３】撮影画像の配置の例について説明する図である。
【図２４】出力されるシール紙の例を示す図である。
【図２５】シール紙に設定されるシールレイアウトについて説明する図である。
【図２６】撮影画像の配置の例について説明する図である。
【図２７】出力されるシール紙の例を示す図である。
【発明を実施するための形態】
【００２５】
以下、本発明を適用した具体的な実施の形態について、図面を参照しながら詳細に説明する。
【００２６】
［写真シール作成装置の外観構成］
図１は、写真シール作成装置１の外観の構成例を示す斜視図である。
【００２７】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００２８】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２９】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３０】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３１】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図示せず）により構成される。
【００３２】
背景部２２は、正面を向いて撮影処理を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図示せず）から構成される。
【００３３】
撮影部２１の右側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、撮影部２１の左側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’（図示せず）によって連結される。
【００３４】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００３５】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３６】
なお、背景カーテンユニット２５に収納される背景カーテンとしては、複数枚のカーテンを１枚のクロマキー用のカーテンとして使用する昇降式カーテンを用意してもよい。また、クロマキー用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３７】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、フラッシュとして撮影に合わせて撮影空間内に向けて発光するストロボを内蔵する。天井ストロボユニット２４の内部には、ストロボの他に、蛍光灯が設けられており、撮影空間の照明としても機能する。
【００３８】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３９】
図１に示す編集部１２の構成を正面側の構成とすると、２組の利用者が同時に編集処理を行うことができるように、編集部１２の正面側と背面側には編集処理に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の右側には、柱状の形状を有し、照明装置７４の一端を支持する支持部７３Ａが設けられる。斜面７２の左側にも、照明装置７４の他端を支持する支持部７３Ｂ（図２）が設けられる。さらに、支持部７３Ａの右側には、板状の形状を有し、事後接客部１３が連結して設けられる支持部７３Ｃが設けられる。また、支持部７３Ｃの上面にはカーテンレール２６を支持する支持部７５が設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４３】
図２は、写真シール作成装置１を別の角度から見た斜視図である。
【００４４】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４５】
図２に示すように、事後接客部１３は、所定の厚さを有する板状の筐体を有しており、編集部１２の右側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４６】
ここで、写真シール作成ゲームの流れと、それに伴う利用者の移動について図３を参照して説明する。図３は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４８】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５０】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５１】
画像の印刷が終了したとき、利用者は、事後接客部１３に設けられた排出口からシール紙を受け取り、一連の写真シール作成ゲームを終えることになる。
【００５２】
次に、各装置の構成について説明する。
【００５３】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５５】
正面パネル４１の中央からやや上側には撮影・表示ユニット８１が設けられる。撮影・表示ユニット８１は、カメラ９１、タッチパネルモニタ９２、および正面ストロボ９３から構成される。
【００５６】
カメラ９１は、レンズやCCD(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００５７】
カメラ９１の下側に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００５８】
カメラ９１の上側および左右を囲むように半円状の発光面（乳白アクリル板）が設けられた正面ストロボ９３は、内蔵されたストロボがカメラ９１による撮影に合わせて発光することで、被写体としての利用者の顔付近を正面から照射する。
【００５９】
正面パネル４１には、撮影・表示ユニット８１の上方に右上ストロボ８２および左上ストロボ８３が設置される。右上ストロボ８２は、内蔵されたストロボが発光することで、利用者を、利用者から見て右上前方から照射し、左上ストロボ８３は、内蔵されたストロボが発光することで、利用者を、利用者から見て左上前方から照射する。
【００６０】
ベース部４３には利用者の足元を照射する足元ストロボ８４も設けられる。右上ストロボ８２、左上ストロボ８３、足元ストロボ８４、および正面ストロボ９３の内部には、ストロボの他に、蛍光灯を設けるようにし、天井ストロボユニット２４の内部の蛍光灯と合わせて、撮影空間Ａ１内の照明として用いられるようにしてもよい。各ストロボの発光量が調整されることによって、または、発光させるストロボの数が調整されることによって、利用者に照射される光が調整される。
【００６１】
足元ストロボ８４の右側には、利用者がお金を投入する硬貨投入返却口８５が設けられる。
【００６２】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６３】
［背景部の構成］
図５は、背景部２２の撮影空間Ａ１側の構成例を示す図である。
【００６４】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６５】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００６６】
［編集部の構成］
図６は、編集部１２の背面側（編集空間Ａ２−２側）の構成例を示す図である。
【００６７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６８】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６９】
編集部１２の左側には事後接客部１３が設けられる。
【００７０】
［事後接客部の構成］
図７は、事後接客部１３の正面側の構成例を示す図である。
【００７１】
事後接客部１３の上方中央にはタブレット内蔵モニタ１６１が設けられる。タブレット内蔵モニタ１６１は、利用者の指等を用いて操作入力が可能なタブレットがLCDなどのモニタに重畳して設けられることによって構成される。タブレット内蔵モニタ１６１には、事後接客処理に用いられる画面が表示される。
【００７２】
タブレット内蔵モニタ１６１の下にはスピーカ１６２が設けられ、スピーカ１６２の下にはシール紙排出口１６３が設けられる。
【００７３】
スピーカ１６２は、事後接客処理の案内音声、BGM、効果音等の音を出力する。
【００７４】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７５】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７６】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００７７】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７８】
通信部２０３は、インターネットなどのネットワークのインタフェースであり、制御部２０１による制御に従って外部の装置と通信を行う。
【００７９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８０】
ROM２０６には、制御部２０１において実行されるプログラムやデータが記憶されている。RAM２０７は、制御部２０１が処理するデータやプログラムを一時的に記憶する。
【００８１】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００８２】
硬貨処理部２２１は、硬貨投入返却口８５に対する硬貨の投入を検出する。硬貨処理部２２１は、例えば４００円などの所定の金額分の硬貨が投入されたことを検出した場合、そのことを表す起動信号を制御部２０１に出力する。
【００８３】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８４】
照明装置２２３は、撮影空間Ａ１内の各ストロボの内部に設けられるストロボ（フラッシュ）であり、制御部２０１より供給される照明制御信号に従って発光する。上述したように、撮影空間Ａ１には、天井ストロボユニット２４のストロボの他に、撮影部２１に設けられる右上ストロボ８２、左上ストロボ８３、足元ストロボ８４、正面ストロボ９３、背景部２２に設けられる背面中央ストロボ１０１、背面右ストロボ１０２、背面左ストロボ１０３が設けられている。
【００８５】
カメラ９１は、制御部２０１による制御に従って撮影を行い、撮影によって得られた画像を制御部２０１に出力する。
【００８６】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００８７】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８８】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００８９】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９０】
［制御部の構成］
次に、制御部２０１について説明する。図９は、制御部２０１がROM２０６などに格納されているプログラムを実行することにより実現される機能ブロックの構成例を示している。
【００９１】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９２】
このように、制御部２０１は、写真シール作成ゲームの各工程に関する処理の制御を行う。
【００９３】
［写真シール作成装置の動作］
ここで、図１０のフローチャートを参照して、写真シール作成ゲームを提供する写真シール作成装置１の動作について説明する。
【００９４】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【００９５】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影し、撮影画像を出力する撮影処理を行う。
【００９６】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【００９７】
ステップＳ４において、編集処理部３０２は、編集空間Ａ２−１と編集空間Ａ２−２のうち、撮影処理を終えた利用者の移動先とした方の編集空間に対応する編集部２０９を制御し、撮影処理により得られた撮影画像に対して利用者に落書き編集入力を行わせ、落書き編集が施された編集済み画像を出力する編集処理を行う。
【００９８】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【００９９】
ステップＳ６において、印刷処理部３０３は、撮影処理により得られた撮影画像、または編集処理により得られた編集済み画像を、印刷画像としてプリンタ２４１に出力してシール紙に印刷する印刷処理を行う（開始する）。
【０１００】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済みの画像を、携帯送信用画像として携帯端末に送信する携帯送信ゲーム処理を事後接客処理として行う。
【０１０１】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１０２】
［撮影処理の流れ］
次に、図１１のフローチャートを参照して、上述した写真シール作成ゲームの一連の処理におけるステップＳ２の撮影処理の流れを説明する。
【０１０３】
まず、ステップＳ１１において、撮影処理部３０１は、写り選択画面をタッチパネルモニタ９２に表示させる。写り選択画面は、撮影画像における被写体の写りに応じた撮影コースの選択に用いられる画面である。
【０１０４】
ステップＳ１２において、撮影処理部３０１は、人数選択画面をタッチパネルモニタ９２に表示させる。人数選択画面は、利用者の人数に応じた撮影コースの選択に用いられる画面である。
【０１０５】
図１２は、人数選択画面の例を示す図である。
【０１０６】
人数選択画面の中央上方には「撮りたいコースを選んでね」のメッセージが表示され、メッセージの下方左側には、２人用コースを選択するときに操作（選択）されるサンプル画像３５１が表示される。サンプル画像４０１は、２人用コースで撮影を行ったときに得られる画像のサンプルである。
【０１０７】
サンプル画像４０１の右側には、３人用コースを選択するときに操作されるサンプル画像４０２と、４人用コースを選択するときに操作されるサンプル画像４０３が、縦に並べて表示される。サンプル画像４０２は３人用コースで撮影を行ったときに得られる画像のサンプルであり、サンプル画像４０３は４人用コースで撮影を行ったときに得られる画像のサンプルである。
【０１０８】
なお、人数選択画面における操作によって、利用者の人数に応じた撮影コースが決定される以外にも、後述するライブビュー画像に対して顔認証処理を行い、被写体（利用者）の顔の数を検知することによって、利用者の人数に応じた撮影コースが決定されるようにしてもよい。
【０１０９】
ステップＳ１３において、撮影処理部３０１は、立ち位置の案内画面をタッチパネルモニタ９２に表示させる。
【０１１０】
具体的には、撮影処理部３０１は、２人用コースまたは３人用コースが選択された場合、カメラ９１から近い位置に立つことを案内する画面を表示させる。また、撮影処理部３０１は、４人用コースで撮影することが選択された場合、カメラ９１から遠い位置に立つことを案内する画面を表示させる。
【０１１１】
このように、誘導する前後方向の立ち位置を利用者の人数に応じて切り替えることにより、最適な大きさで利用者の顔が写る画像を撮影することが可能になる。
【０１１２】
ステップＳ１４において、撮影処理部３０１は、カメラ９１を制御し、画像の取り込みを開始させ、カメラ９１により取り込まれた動画像（ライブビュー画像）をタッチパネルモニタ９２に表示させる（ライブビュー表示を行う）。
【０１１３】
このとき、撮影処理部３０１は、ステップＳ１２において選択された利用者の人数に応じた画角、例えば２人用コースが選択されている場合、縦横比が約１：１．２となる画角でライブビュー画像を取り込み表示させる。また、３人用コースが選択されている場合、縦横比が約３：４となる画角でライブビュー画像を取り込み、４人用コースが選択されている場合、縦横比が約９：１６となる画角でライブビュー画像を取り込み、表示させる。
【０１１４】
ステップＳ１５において、撮影処理部３０１は、タッチパネルモニタ９２にカウントダウンインジケータを表示し、撮影タイミングを利用者に通知する。
【０１１５】
撮影タイミングになったとき、ステップＳ１６において、撮影処理部３０１は、カメラ９１を制御して撮影を行い、静止画像である撮影画像を取得する。この撮影画像もまた、ステップＳ１２において選択された利用者の人数に応じた画角で撮影されたものとなる。すなわち、撮影処理部３０１は、利用者の人数に応じた画角で撮影を行う。
【０１１６】
具体的には、２人用コースにおいては、縦横比が約１：１．２となる画角で撮影された撮影画像が取得される。また、３人用コースにおいては、縦横比が約３：４となる画角で撮影された撮影画像が取得され、４人用コースにおいては、縦横比が約９：１６となる画角で撮影された撮影画像が取得される。
【０１１７】
このように、利用者の人数に応じて、利用者それぞれの顔が適切に収まる画角で撮影が行われるので、人物（被写体）の配置のバランスのよい撮影画像を得ることができ、結果として、利用者の満足度を向上させることができる。
【０１１８】
撮影処理部３０１は、ステップＳ１７において、撮影画像を、撮影結果として撮影画面に表示した後、ステップＳ１８において、撮影を所定回数繰り返し行ったか否かを判定する。ステップＳ１７において撮影を所定回数行っていないと判定された場合、処理はステップＳ１３に戻り、上述の処理を繰り返し行う。具体的には、２人用コースおよび３人用コースの場合には６回の撮影が行われるまで、４人用コースの場合には４回の撮影が行われるまで、上述の処理が繰り返される。
【０１１９】
ステップＳ１９において、撮影処理部３０１は、得られた６枚または４枚の撮影画像を撮影結果として記憶部２０２に保存（記憶）させる。その後、図１０のステップＳ２に戻り、それ以降の処理が行われる。
【０１２０】
なお、本実施の形態では、２人用コースの場合、４回の撮影が行われると、撮影処理部３０１は、残り２回の撮影について、横長の画角で撮影するか、または縦長の画角で撮影するかを利用者に選択させ、残り２回の撮影を、利用者に選択された方の画角で行うものとする。
【０１２１】
すなわち、２人用コースの場合、４回の撮影が行われ、残り２回の撮影について、横長の画角での撮影が利用者に選択されると、得られる６枚の撮影画像はいずれも、図１３Ａに示されるような横長（縦横比が約１：１．２）の画像となる。また、４回の撮影が行われ、残り２回の撮影について、縦長の画角での撮影が利用者に選択されると、得られる６枚の撮影画像のうちの４枚は、図１３Ａに示されるような横長（縦横比が約１：１．２）の画像となり、６枚の撮影画像のうちの２枚は、図１３Ｂに示されるような縦長（縦横比が約１．２：１）の画像となる。
【０１２２】
このように、縦長の画角での撮影を選択可能とすることで、横長の画角での撮影では写らない利用者の服装を画角に収めることができ、このことを望む利用者の満足度を向上させることができる。
【０１２３】
なお、図１３の例では、縦長の画像の縦横比と横長の画像の縦横比とがいずれも１．２：１と、それぞれ同一とされるものとしたが、これらは異なっていてもよい。
【０１２４】
また、撮影処理部３０１は、撮影画像をトリミングすることで、縦長の画像の縦横比と横長の画像とを得るようにしてもよい。
【０１２５】
［編集処理の流れ］
次に、図１４のフローチャートを参照して、上述した写真シール作成ゲームの一連の処理におけるステップＳ４の編集処理の流れを説明する。
【０１２６】
編集処理が開始されると、ステップＳ３１において、編集処理部３０２は、撮影処理部３０１により得られた、例えば６枚の撮影画像を、記憶部２０２から取得する。
【０１２７】
ステップＳ３２において、編集処理部３０２は、タブレット内蔵モニタ１３１にGUIを表示し、利用者からの指示を受け付け、利用者それぞれの名前（おなまえ）を入力させる。
【０１２８】
ステップＳ３３において、編集処理部３０２は、タブレット内蔵モニタ１３１にGUIを表示し、利用者からの指示を受け付け、その指示に応じて、撮影画像に写る被写体（利用者）毎に、目の大きさや顔の大きさ、肌の明るさを変更するレタッチ処理を行う。
【０１２９】
ステップＳ３４において、編集処理部３０２は、タブレット内蔵モニタ１３１にGUIを表示し、利用者からの指示を受け付け、背景画像を選択させる。
【０１３０】
ステップＳ３５において、編集処理部３０２は、タブレット内蔵モニタ１３１やスピーカ２３１等を制御して、落書き作業の流れを案内する画像や音声を出力することにより、利用者に対して落書き作業のガイダンスを行う。
【０１３１】
その後、編集処理部３０２は、ステップＳ３６において、タブレット内蔵モニタ１３１に編集画面を表示し、ステップＳ３７において、編集部２０９Ａまたは編集部２０９Ｂ（利用者が編集作業を行う方）の各部を制御して、利用者による撮影画像に対する落書き作業を受け付ける落書き編集処理を行う。すなわち、編集処理部３０２は、利用者の編集入力によって、編集対象画像に合成用画像を合成する。
【０１３２】
落書き作業が終了すると、ステップＳ３８において、編集処理部３０２は、タブレット内蔵モニタ１３１にGUIを表示し、利用者からの指示を受け付け、シール紙の分割数を選択させる。そして、編集処理部３０２は、利用者からの指示に応じて、シール紙の分割数を決定し、シールレイアウトを設定する。
【０１３３】
図１５は、シール紙の分割数の選択の際に表示される分割パターン選択画面の例を示す図である。
【０１３４】
図１５の分割パターン選択画面には、それぞれの分割パターンを選択させるためのボタンが表示されている。なお、以下では、撮影処理において２人用コースが選択されたものとして説明する。
【０１３５】
分割パターンには、シール紙がカットされず１枚で出力されるシールレイアウトが選択できる「cherrycherryおすすめ分割」、シール紙がカットされて出力されるシールレイアウトが選択できる「切れてる分割」、および、シール紙に印刷される撮影画像（編集済み画像）のサイズを小さくまたは大きくしたシールレイアウトが選択できる「小分割・大分割」がある。
【０１３６】
分割パターンとして「cherrycherryおすすめ分割」が選択された場合、出力されるシール紙のシールレイアウトは、図１６Ａ，Ｂに示されるように、長方形のシール紙に対して撮影画像が傾いて配置されたり、撮影画像が配置される領域以外の領域に装飾された文字や絵柄が印刷された、デザイン性の高いシールレイアウトとなる。
【０１３７】
分割パターンとして「切れてる分割」が選択された場合、出力されるシール紙のシールレイアウトは、図１７Ａ，Ｂに示されるように、２等分されて出力可能なシールレイアウトとなる。シール紙が２等分されて出力されることで、利用者が２人の場合には、シール紙をはさみ等で切り分ける必要がなく、利用者にとって便利となる。
【０１３８】
分割パターンとして「小分割・大分割」が選択された場合、出力されるシール紙のシールレイアウトは、小さいサイズまたは大きいサイズの撮影画像が、行列状に規則的に配列されたシールレイアウトとなる。例えば、“小分割”のシールレイアウトは、図１８Ａに示されるように、小さいサイズの３６枚の撮影画像が、６×６で配列されたシールレイアウトとなる。このように、多くの枚数の撮影画像が印刷されて出力されることで、利用者は、多くの友達にシールを切り分けて共有することができる。また例えば、“大分割”のシールレイアウトは、図１８Ｂに示されるように、大きいサイズの６枚の撮影画像が、２×３で配列されたシールレイアウトとなる。このシールレイアウトは、大きいサイズの画像を望む利用者にとって好適である。
【０１３９】
なお、図１５の例では、分割パターンとして「切れてる分割」が選択されているものとする。
【０１４０】
図１５に示されるように、分割パターン選択画面５０１には、主な構成が、左右に２つずつ設けられている。これにより、基本的に同じ組の２人の利用者が同時にシールレイアウトの選択を行うことができる。
【０１４１】
分割パターン選択画面５０１の左側には、選択対象レイアウト表示部５１１−１、選択済レイアウト表示部５１２−１、縦横選択ボタン５１３−１、およびＯＫボタン５１４−１が表示されている。
【０１４２】
選択対象レイアウト表示部５１１−１には、シールレイアウトを利用者に提示し選択させるためのレイアウト画像が複数表示されており、そのうちのいずれかが利用者によって選択されると、選択されたレイアウト画像が、選択済レイアウト表示部５１２−１に表示される。
【０１４３】
縦横選択ボタン５１３−１は、利用者に選択させるシールレイアウトとして、画像が主に縦方向に配列される縦長のシールレイアウトと、画像が主に横方向に配列される横長のシールレイアウトのいずれかの選択の入力を受け付けるためのボタンである。
【０１４４】
ＯＫボタン５１４−１は、選択済レイアウト表示部５１２−１に表示されているレイアウト画像で与えられるシールレイアウトを、最終的に出力されるシール紙における印刷画像の配置を表すシールレイアウトとして設定するためのボタンである。
【０１４５】
分割パターン選択画面５０１の右側には、選択対象レイアウト表示部５１１−２、選択済レイアウト表示部５１２−２、縦横選択ボタン５１３−２、およびＯＫボタン５１４−２が表示されているが、基本的な構成は、分割パターン選択画面５０１の右側と同様であるので、その説明は省略する。
【０１４６】
従来の分割パターン選択画面においては、縦長のシールレイアウトと横長のシールレイアウトとが混在して雑然と並べられており、その中から所望のシールレイアウトを限られた時間のなかで選択することは、利用者にとって容易ではなかった。
【０１４７】
そこで、分割パターン選択画面５０１においては、縦横選択ボタン５１３−１，５１３−２により、利用者に、まず、縦長のシールレイアウトと横長のシールレイアウトのいずれかを選択させることができる。したがって、利用者は、縦長のシールレイアウトと横長のシールレイアウトのいずれかが整然と並べられたシールレイアウトの中から、所望のシールレイアウトを容易に選択することができるようになるので、結果として、シールレイアウトの選択に要する時間を短縮させることができる。
【０１４８】
例えば、図１５の分割パターン選択画面５０１においては、その左側において、縦横選択ボタン５１３−１により横長のシールレイアウトが選択されており、その右側において、縦横選択ボタン５１３−２により縦長のシールレイアウトが選択されている。
【０１４９】
これにより、選択対象レイアウト表示部５１１−１には、横長のシールレイアウトのレイアウト画像５３１Ａ，５３１Ｂ，５３１Ｃ，５３１Ｄが表示され、選択対象レイアウト表示部５１１−２には、縦長のシールレイアウトのレイアウト画像５３１Ｅ，５３１Ｆ，５３１Ｇ，５３１Ｈが横向き（左回りに90°回転した向き）に表示されるようになる。
【０１５０】
なお、以上のように、レイアウト画像が選択されることで、シール紙に対して、複数の撮影画像が印刷される撮影画像配置領域、撮影画像配置領域の周囲の領域（撮影画像配置領域以外の領域）、および、撮影画像配置領域の周囲の領域に印刷される色や文字を含む画像（以下、周囲画像）が、シールレイアウトとして設定されるようになる。なお、周囲画像が印刷される領域を、以下、周囲画像配置領域という。
【０１５１】
そして、分割数が選択され、シールレイアウトが設定されると、ステップＳ３８において、編集処理部３０２は、そのシールレイアウトについての情報であるレイアウト情報を生成し、シール紙に配置される印刷画像（編集済み画像）とともに、記憶部２０２に保存（記憶）させる。
【０１５２】
具体的には、レイアウト情報には、シール紙に対して設定される撮影画像配置領域を表す情報、周囲画像配置領域を表す情報、および周囲画像自体を表す情報（画像データ）が含まれる。
【０１５３】
ステップＳ３８の処理が終了すると、編集処理は終了され、処理は、図１０のステップＳ４に戻る。
【０１５４】
［印刷処理の流れ］
次に、図１９のフローチャートを参照して、上述した写真シール作成ゲームの一連の処理におけるステップＳ６の印刷処理の流れを説明する。
【０１５５】
印刷処理が開始されると、ステップＳ６１において、印刷処理部３０３は、編集処理において生成され、保存されている撮影画像（編集済み画像）とレイアウト情報を、記憶部２０２から取得する。
【０１５６】
ステップＳ６２において、印刷処理部３０３は、取得した編集済み画像を、レイアウト情報で示されるシールレイアウトで配置した印刷データを生成する。
【０１５７】
ステップＳ６３において、印刷処理部３０３は、プリンタ２４１を制御し、その印刷データのシール紙への印刷を開始する。印刷を開始すると、印刷処理部３０３は、その印刷を継続させながら、印刷処理を終了し、処理は、図１０のステップＳ６に戻る。
【０１５８】
印刷が終了すると、印刷済みのシール紙は、シール紙排出口１６３から排出される。
【０１５９】
図２０は、印刷済みのシール紙の例を示している。
【０１６０】
なお、以下では、撮影処理において２人用コースが選択された場合に、印刷処理において印刷されるシール紙の例について説明する。
【０１６１】
図２０に示されるシール紙６１１は、上述した「切れてる分割」の分割パターンが選択されることで設定された横長のシールレイアウトで印刷されたものであり、２等分にカットされる前のものである。シール紙６１１においては、カットされて出力される１枚分の領域に、１０枚の撮影画像（編集済み画像）が隙間なく配置されており、そのうちの左側６枚は、２人用コースで得られた横長の画像とされ、右側４枚は、２人用コースで得られた縦長の画像とされる。なお、上述したように、撮影処理において２人用コースが選択された場合、横長の撮影画像が４枚、縦長の撮影画像が２枚得られるので、シール紙６１１においては、例えば、得られた４枚の横長の撮影画像のうちのいずれか２枚が重複して配置され、得られた２枚の縦長の撮影画像それぞれが重複して配置されるようにすることで、１０枚の撮影画像が配置されるようになる。
【０１６２】
図２１は、シール紙６１１が印刷される際に設定されるシールレイアウトの詳細を示している。
【０１６３】
図２１に示されるシールレイアウト６２０は、撮影画像配置領域６２１、周囲画像配置領域６２２、印刷不可領域６２３，６２４から構成される。
【０１６４】
上述したように、撮影画像配置領域６２１は、撮影画像（編集済み画像）が配置される領域であり、予め決められた縦横比を有する。また、周囲画像配置領域６２２は、所定の色や図柄、文字等が周囲画像として配置される領域である。周囲画像として配置される文字としては、例えば、写真シール作成装置１の機種名や、撮影処理において選択されたコースの名称、撮影日時等がある。なお、印刷不可領域６２３は、プリンタ２４１のヘッドの送り幅の限界等により何も印刷させない領域であり、印刷不可領域６２４は、２等分にカットされるシール紙それぞれの周囲画像の色を混在させないようにするために何も印刷させない領域である。なお、シール紙を２等分にカットする際に、２回カットすることで印刷不可領域６２４を切り落とすことができれば、印刷不可領域６２４に、周囲画像の色を混在させるように印刷されるようにしてもよい。
【０１６５】
撮影処理において２人用コースが選択され、横長の撮影画像と縦長の撮影画像とが得られた場合、シールレイアウト６２０が設定されたシール紙に対して、印刷処理部３０３は、撮影画像配置領域６２１内に、縦長の撮影画像と横長の撮影画像とを隙間なく配置するように、縦長の撮影画像および／または横長の撮影画像の大きさ（具体的にはピクセル数）を、縦辺と横辺の長短の関係を保ったまま変えて配置する。
【０１６６】
具体的には、縦長の撮影画像は、少なくとも縦辺が横辺より長くなるように（つまり、あくまで縦長の矩形形状を維持したまま）、そのピクセル数を変えて配置される。また、横長の撮影画像は、少なくとも横辺が縦辺より長くなるように（つまり、あくまで横長の矩形形状を維持したまま）、そのピクセル数を変えて配置される。
【０１６７】
またこのとき、印刷処理部３０３は、縦長の撮影画像と横長の撮影画像それぞれにおける被写体の向きが同一になるように、撮影画像をシール紙に配置する。
【０１６８】
具体的には、印刷処理部３０３は、例えば撮影画像（編集済み画像）に付加されている画像情報（画像サイズ、縦横比等）に基づいて、被写体の向きを同一にして、撮影画像を撮影画像配置領域に配置する。また、撮影画像における人物領域をマスクするマスク画像を生成することで、そのマスク画像で示される人物領域の向きに基づいて、被写体の向きを同一にして、撮影画像を配置するようにしてもよい。
【０１６９】
ここで、撮影画像配置領域６２１の縦横比は１：２．６であるとする。
【０１７０】
２人用コースで得られる横長の撮影画像の縦横比は１：１．２、縦長の撮影画像の縦横比は１．２：１であるので、横長の撮影画像３枚と縦長の撮影画像２枚の大きさを、縦横比固定で、かつ、横長の撮影画像の短辺の長さと縦長の撮影画像の長辺の長さとが同一となるように（縦の長さを基準（＝１）として）変えて横一列に配置すると、図２２に示されるように、縦長の撮影画像２枚それぞれの縦横比は、１：約０．８（具体的には、１：０．８３３）となる。
【０１７１】
すなわち、図２２に示される、横一列に配置された５枚の撮影画像で形成される矩形領域の縦横比は、１：約５．２（具体的には、１：５．２６６）となる。そして、この横一列に配置された５枚の撮影画像が縦２列に並んで形成される矩形領域の縦横比は、２：約５．２、すなわち、１：約２．６となる。
【０１７２】
したがって、横長の撮影画像の縦横比が１：１．２、縦長の撮影画像の縦横比が１．２：１である場合、縦横比が１：２．６である撮影画像配置領域６２１に、横長の撮影画像６枚と縦長の撮影画像４枚とを、隙間なく配置することができる。
【０１７３】
従来は、横長の撮影画像と縦長の撮影画像とを混在させてシール紙に印刷する場合には、被写体の向きを揃えることは考慮されておらず、このような場合、利用者は、シール紙を見る際に、画像によってシール紙を回転させて見る必要があった。
【０１７４】
一方、上述した処理によれば、縦横比の異なる撮影画像が、矩形の撮影画像配置領域に隙間なく、かつ、被写体の向きが同一となるように配置されてシール紙に印刷されるので、利用者がシール紙を見る際に、画像によってシール紙を回転させて見る必要はなく、また、配置される画像の大きさを小さくする必要も、配置される画像の枚数を少なくする必要もなく、より見栄えのよいシール紙を提供することが可能となる。
【０１７５】
また、上述した例では、横長の撮影画像の縦横比と、縦長の撮影画像の横縦比とが同一となるように撮影画像が配置されるので、撮影画像それぞれが整然と配列されるようになり、シール紙の見た目をより向上させることができる。
【０１７６】
なお、撮影画像配置領域における撮影画像のそれぞれの配置は、その撮影画像が、撮影処理において何回目の撮影により得られたか（横長の画角での撮影であったか、または、縦長の画角での撮影であったか）に応じて決まるようにしてもよいし、利用者の選択に応じて決まるようにしてもいい。特に、撮影画像配置領域における撮影画像のそれぞれの配置が利用者の選択に応じて決まるようになった場合には、撮影画像配置領域内における配置毎に、撮影画像を選択させるようにしてよいし、各配置の撮影画像をまとめて選択させるようにしてもよい。
【０１７７】
また、以上においては、シール紙の領域に、横長の撮影画像の縦横比が１：１．２、縦長の撮影画像の縦横比が１．２：１、すなわち、横長の撮影画像の縦横比と、縦長の撮影画像の横縦比とが同一となるように、撮影画像が配置されるものとしたが、これらは同一とならなくてもよい。
【０１７８】
例えば、横長の撮影画像の縦横比が１：１．２、縦長の撮影画像の縦横比が１．４：１である場合、横長の撮影画像３枚と縦長の撮影画像２枚の大きさを、縦横比固定で、かつ、横長の撮影画像の短辺の長さと縦長の撮影画像の長辺の長さとが同一となるように（縦の長さを基準（＝１）として）変えて横一列に配置すると、図２３に示されるように、縦長の撮影画像２枚それぞれの縦横比は、１：約０．７（具体的には、１：０．７１４）となる。
【０１７９】
すなわち、図２３に示される、横一列に配置された５枚の撮影画像で形成される矩形領域の縦横比は、１：約５（具体的には、１：５．０２８）となる。そして、この横一列に配置された５枚の撮影画像が縦２列に並んで形成される矩形領域の縦横比は、２：約５、すなわち、１：約２．５となる。
【０１８０】
したがって、横長の撮影画像の縦横比が１：１．２、縦長の撮影画像の縦横比が１．４：１である場合、縦横比が１：２．６である撮影画像配置領域６２１内に、横長の撮影画像６枚と縦長の撮影画像４枚とを、隙間なく配置することができる。
【０１８１】
なお、この場合、シール紙においては、撮影画像配置領域６２１と比べて、１０枚の印刷画像が実際に配置される領域である実撮影画像配置領域の方が小さくなる。このとき、印刷処理部３０３は、周囲画像配置領域６２２に加えて、撮影画像配置領域６２１から実撮影画像配置領域を除いた領域（撮影画像配置領域６２１において撮影画像が配置されない領域）にも周囲画像を配置し、印刷する。
【０１８２】
図２４は、印刷済みのシール紙の他の例を示している。
【０１８３】
図２４に示されるシール紙６５１は、上述した「切れてる分割」の分割パターンが選択されることで設定された縦長のシールレイアウトで印刷されたものであり、２等分にカットされる前のものである。シール紙６５１においては、カットされて出力される１枚分の領域に、１０枚の撮影画像（編集済み画像）が隙間なく配置されており、そのうちの上側６枚は、２人用コースで得られた横長の画像とされ、下側４枚は、２人用コースで得られた縦長の画像とされる。
【０１８４】
図２５は、シール紙６５１が印刷される際に設定されるシールレイアウトの詳細を示している。
【０１８５】
図２５に示されるシールレイアウト６６０は、撮影画像配置領域６６１、周囲画像配置領域６６２、印刷不可領域６６３，６６４から構成される。
【０１８６】
なお、図２５のシールレイアウトにおいて、撮影画像配置領域６６１、周囲画像配置領域６６２、印刷不可領域６６３，６６４は、図２１のシールレイアウトにおける撮影画像配置領域６２１、周囲画像配置領域６２２、印刷不可領域６２３，６２４とそれぞれ対応する領域であるので、その説明は省略する。
【０１８７】
撮影処理において２人用コースが選択され、横長の撮影画像と縦長の撮影画像とが得られた場合、シールレイアウト６６０が設定されたシール紙に対して、印刷処理部３０３は、撮影画像配置領域６６１内に、縦長の撮影画像と横長の撮影画像とを隙間なく配置するように、縦長の撮影画像および／または横長の撮影画像の大きさを、縦辺と横辺の長短の関係を保ったまま変えて配置する。このとき、縦長の撮影画像と横長の撮影画像それぞれにおける被写体の向きが同一になるように、撮影画像がシール紙に配置される。
【０１８８】
ここで、撮影画像配置領域６６１の縦横比は２．５：１であるとする。
【０１８９】
２人用コースで得られる横長の撮影画像の縦横比は１：１．２、縦長の撮影画像の縦横比は１．２：１であるので、横長の撮影画像３枚と縦長の撮影画像２枚の大きさを、縦横比固定で、かつ、横長の撮影画像の長辺の長さと縦長の撮影画像の短辺の長さとが同一となるように（横の長さを基準（＝１）として）変えて縦一列に配置すると、図２６に示されるように、横長の撮影画像３枚それぞれの縦横比は、約０．８：１となる。
【０１９０】
すなわち、図２６に示される、縦一列に配置された５枚の撮影画像で形成される矩形領域の縦横比は、約５：１となる。そして、この縦一列に配置された５枚の撮影画像が横２列に並んで形成される矩形領域の縦横比は、約５：２、すなわち、約２．５：１となる。
【０１９１】
したがって、横長の撮影画像の縦横比が１：１．２、縦長の撮影画像の縦横比が１．２：１である場合、縦横比が２．５：１である撮影画像配置領域６６１に、横長の撮影画像６枚と縦長の撮影画像４枚とを、隙間なく配置することができる。
【０１９２】
以上においては、分割パターンとして「切れてる分割」が選択された場合のシールレイアウトで、横長の撮影画像と縦長の撮影画像とが、撮影画像配置領域内に隙間なく、かつ、被写体の向きが同一となるように配置される例について説明したが、他の分割パターンが選択された場合のシールレイアウトで、横長の撮影画像と縦長の撮影画像とが、撮影画像配置領域内に隙間なく、かつ、被写体の向きが同一となるように配置されるようにしてもよい。
【０１９３】
また、以上においては、撮影処理において、２人用コースが選択された場合にのみ、横長の撮影画像と縦長の撮影画像とが得られるものとしたが、３人用コースや４人用コースが選択された場合にも、横長の撮影画像と縦長の撮影画像とが得られるようにしてもよい。
【０１９４】
この場合も、縦長の撮影画像と横長の撮影画像とを、隙間なく、かつ、被写体の向きが同一となるように、シール紙の領域に配置されるようにする。
【０１９５】
これにより、例えば、撮影処理において、３人用コースが選択された場合には、図２７に示されるシール紙６９１が印刷される。
【０１９６】
シール紙６９１においては、シール紙６９１を３人で切り分けることができるシールレイアウトで、縦横比が３：４の横長の撮影画像と、縦横比が１：１．２の縦長の撮影画像とが、隙間なく、かつ、被写体の向きが同一になるように配置される。
【０１９７】
さらに、以上においては、撮影画像配置領域内に、縦長の撮影画像と横長の撮影画像とが、隙間なく、かつ、被写体の向きが同一になるように配置されて、シール紙に印刷されるようにしたが、シール紙の印刷データを表示用にすることで、撮影画像配置領域内に、縦長の撮影画像と横長の撮影画像とが、隙間なく、かつ、被写体の向きが同一になるように配置されて、表示されるようにしてもよい。
【０１９８】
また、以上においては、撮影画像を、その大きさを縦横比固定で変えて、撮影画像配置領域内に配置するようにしたが、上述したように、撮影画像における縦辺と横辺の長短の関係が保たれていれば、縦横比が変更されてもよい。例えば、縦横比が１：αである横長の撮影画像の縦横比を１：α±βに変更して、その大きさを変えるようにしてもよい。
【０１９９】
なお、撮影画像（編集済み画像）をトリミングすることで、縦横比が１：α±βである画像を取得し、その画像の大きさを変えて、撮影画像配置領域内に隙間なく配置するようにしてもよい。例えば、撮影時に得られた撮影画像をトリミングすることで、縦横比が１：α±βである撮影画像（編集済み画像）を取得し、その画像を撮影画像配置領域内に配置するようにしてもよいし、落書き編集時に、落書き編集入力が行われた編集済み画像をトリミングすることで、縦横比が１：α±βである編集済み画像を取得し、その画像を撮影画像配置領域内に配置するようにしてもよい。
【０２００】
さらに、撮影画像配置領域内に配置される撮影画像の枚数は、１０枚に限らず、矩形状の撮影画像配置領域の縦横比、横長の撮影画像や縦長の撮影画像の縦横比に応じて、適宜調整されるようにすることもできる。
【０２０１】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２０２】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２０３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２０４】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２０５】
また、本発明の実施の形態は、上述した実施の形態に限定されるものではなく、本発明の要旨を逸脱しない範囲において種々の変更が可能である。
【符号の説明】
【０２０６】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
【図１】
2015102605.tif 000003
【図２】
2015102605.tif 000004
【図３】
2015102605.tif 000005
【図４】
2015102605.tif 000006
【図５】
2015102605.tif 000007
【図６】
2015102605.tif 000008
【図７】
2015102605.tif 000009
【図８】
2015102605.tif 000010
【図９】
2015102605.tif 000011
【図１０】
2015102605.tif 000012
【図１１】
2015102605.tif 000013
【図１２】
2015102605.tif 000014
【図１３】
2015102605.tif 000015
【図１４】
2015102605.tif 000016
【図１５】
2015102605.tif 000017
【図１６】
2015102605.tif 000018
【図１７】
2015102605.tif 000019
【図１８】
2015102605.tif 000020
【図１９】
2015102605.tif 000021
【図２０】
2015102605.tif 000022
【図２１】
2015102605.tif 000023
【図２２】
2015102605.tif 000024
【図２３】
2015102605.tif 000025
【図２４】
2015102605.tif 000026
【図２５】
2015102605.tif 000027
【図２６】
2015102605.tif 000028
【図２７】
2015102605.tif 000029